(57)【要約】      （修正有）【課題】介護者の洗浄作業を減らして介護者の洗浄作業の負担を軽減することができる身体洗浄装置を提供する。【解決手段】垂直状態から水平状態に向かって傾斜可能なフレーム４と、フレーム４の下部にフレーム４に直角に固定された底板１０と、下端が底板１０の周囲に水密に固定されるとともに、上端が昇降可能な環状の昇降フレーム２４に固定された伸縮可能な筒状のフード１４と、筒状のフード内に配置される座席１６及び背もたれ１５が平行に間隔をおいて配置された複数のピアノ線により形成された椅子と、底板１０及び座席１６の下方に配置された洗浄水噴射パイプ２８と、洗浄水を循環させる循環ポンプから構成される。【選択図】図１
0003129458.tif 000002
【実用新案登録請求の範囲】
【請求項１】
垂直状態から水平状態に向かって傾斜可能なフレームと、
前記フレームの下部にフレームに直角に固定された底板と、  
下端が前記底板の周囲に水密に固定されるとともに、上端が昇降可能な環状の昇降フレームに固定された伸縮可能な筒状のフードと、
前記筒状のフード内で前記底板に支持され、座席及び背もたれが平行に間隔をおいて配置された複数本のピアノ線により形成された椅子と、
前記底板の内周に間隔をおいて環状に配置されたパイプ受けに差し込んで取り付ける、洗浄水を噴射する複数の洗浄水噴射孔を上下方向に有する洗浄水噴射パイプと、
前記座席の下方に配置された、洗浄水を上方向に噴射させる洗浄水噴射孔を有する洗浄水噴射パイプと、
前記洗浄水噴射パイプを連結するフレキシブルな連結パイプで前記フード内の洗浄水を送水する循環用ポンプとを備えたことを特徴とする身体洗浄装置。
【請求項２】
背もたれのピアノ線の下端がスプリングを介して弾力調整可能に張設されていることを特徴とする請求項１記載の記載の身体洗浄装置。
【請求項３】
座席の前方に座席の下方に配置される洗浄水噴射パイプから噴射される洗浄水を通す開口を形成したことを特徴とする請求項１又は２記載の身体洗浄装置。
【請求項４】
背もたれの両側に、座席の両側フレームの後端を挿入する孔を設けた座席固定部材が間隔をおいて上下方向に固定されていることを特徴とする請求項１〜３のいずれか１項に記載の身体洗浄装置。
【請求項５】
座席に、座席の前方に引出可能に太股を載せて支持する太股支持部材が設けられていることを特徴とする請求項１〜４のいずれか１項に記載の身体洗浄装置。
【請求項６】
底板、座席及び昇降フレームのそれぞれが中央からフレーム側に倒立可能に二つの部材を接続して形成されていることを特徴とする請求項１〜５のいずれか１項に記載の身体洗浄装置。
【考案の詳細な説明】
【技術分野】
【０００１】
本考案は、身体が不自由な人の身体を介護者が直接洗う作業の負担を軽減することができる身体洗浄装置に関する。
【背景技術】
【０００２】
自分で身体を洗うことが困難な身体の不自由な人は介護者が身体を洗っている。介護者は、洗いやすいように被洗浄者を動かして姿勢を変えたり、あるいは無理な姿勢で被洗浄者を洗ったりする必要があるため、洗浄作業はきわめて重労働となっている。この洗浄作業を軽減するためにいろいろな洗浄装置が提案されている。
【０００３】
例えば、特許文献１には、高齢者など身体の不自由な人に対する入浴適性を高めるための入浴装置が記載されている。この入浴装置は、略水平状態の姿勢と傾斜状態の姿勢の設定が選択可能で、傾斜状態において入浴者が腰を降ろせる座部が設けられた姿勢可変式の浴槽を具備し、この浴槽内面の前端側に、傾斜状態においては略水平となって入浴者が立つことができる足置き部を設けるとともに、足置き部を浴槽が傾斜状態にある場合において浴槽端縁より低くなるように設けられ、浴槽内の入浴者が全身シャワーを浴びることができる全身シャワー手段が浴槽に配設されている。
【０００４】
また、特許文献２には、入浴することが困難な人に対して、シャワー入浴を容易にし、しかもシャワー入浴によって身体を温めることと、介護者の負担を軽減する介護シャワー装置が記載されている。この介護シャワー装置は、環状に配置した内側に微細な噴射穴を持ち、中心部に向かって噴射するシャワーを設け、この環状のシワーの外側全体をとりかこむカーテンを設け、入浴者は椅子に座った状態でシャワーを浴びることができる。
【特許文献１】特開平１１−１１４００５号公報
【特許文献２】特開２０００−７９１５２号公報
【考案の開示】
【考案が解決しようとする課題】
【０００５】
特許文献１に記載の入浴装置では、入浴者とお湯が満たされた浴槽を回転させて傾斜させる機構が必要であるために装置が複雑となる。また、入浴者の、浴槽内に浸かっている部分は、従来と同様に介護者に洗浄してもらう必要があるため、介護者の洗浄作業負担を大幅に軽減することができない。
【０００６】
また、特許文献２に記載の介護シャワー装置は、上方に配置された環状のシャワーのみであるために身体をきれいに洗浄するためには、従来と同様に介護者に洗浄してもらう必要があるので、介護者の洗浄作業を大幅に軽減することができない。
【０００７】
そこで、本考案は、身体の不自由な人の洗浄作業の際、介護者の洗浄作業を減らし、洗浄作業の負担を軽減することができる身体洗浄装置を提供するものである。
【課題を解決するための手段】
【０００８】
本考案は、垂直状態から水平状態に向かって傾斜可能なフレームと、前記フレームの下部にフレームに直角に固定された底板と、下端が前記底板の周囲に水密に固定されるとともに、上端が昇降可能な環状の昇降フレームに固定された伸縮可能な筒状のフードと、前記筒状のフード内で前記底板に支持され、座席及び背もたれが平行に間隔をおいて配置された複数本のピアノ線により形成された椅子と、前記底板の内周に間隔をおいて環状に配置されたパイプ受けに差し込んで取り付ける、洗浄水を噴射する複数の洗浄水噴射孔を上下方向に有する洗浄水噴射パイプと、前記座席の下方に配置された、洗浄水を上方向に噴射させる洗浄水噴射孔を有する洗浄水噴射パイプと、前記洗浄水噴射パイプを連結するフレキシブルな連結パイプに前記フード内の洗浄水を送水する循環用ポンプとを備えたことを特徴とする。
【０００９】
座席が傾斜可能なフレームに、座席の両側の支持フレームの端部を挿入できる孔を有する座席の支持フレーム係止部材を上下方向に間隔をおいて配置して、座席の高さを調整できるようにすることができる。座席に、座席の前方に引出可能に太股を載せて支持する太股支持部材を設けてもよい。また、座席下洗浄水噴射パイプを座席の下に取り付けて支持することができる。座席に下部から洗浄水を上方向に噴射させて陰部を洗浄するための局部洗浄用の開口を設けてもよい。底板、座席及び昇降フレームのそれぞれが中央からフレーム側に倒立可能に二つの部材を接続して形成し、背もたれのピアノ線の下端がスプリングを介して弾力調整可能に張設することができる。
【考案の効果】
【００１０】
本考案の身体洗浄装置は、伸縮可能な筒状のフードで身体洗浄装置本体を囲い、その後は洗浄水噴射パイプで被洗浄者の周囲及び下から洗浄水を噴射させることにより介護者の手を煩わせることなく洗浄することができるので、介護者の洗浄作業を軽減することができる。
【００１１】
隙間をおいて複数のピアノ線が張設された椅子の高さを被洗浄者に合わせて調整できるので、被洗浄者を楽な姿勢で洗浄することができる。
【００１２】
座席が傾斜可能なフレームに傾斜させて固定した支持フレーム係止部材の孔に座席両側の支持フレームの端部を挿入することにより、座席の高さ張設を簡単に行うことができ、また、被洗浄者の重さにより座席が外れることなく確実に支持することができる。
【００１３】
椅子の座席に局部洗浄用の開口を設け、下部から洗浄水を上方向に噴射させる洗浄水噴射パイプを設けることにより、被洗浄者は介護者の手助けなしに局部洗浄を行うことできる。
【００１４】
椅子の座席の下に下部から洗浄水を上方向に噴射させる洗浄水噴射パイプを支持することにより、座席の高さに関係なく、一定の距離で洗浄水を噴射させることができる。
【００１５】
また、座席から引出自在の太股支持部材に太股を載せて、楽な姿勢で洗浄することができる。
【考案を実施するための最良の形態】
【００１６】
本考案の身体洗浄装置の一実施例を、図面を参照しながら説明する。
【実施例１】
【００１７】
図１は本考案の身体洗浄装置の要部を示す概略側面図、図２は同フードの一部を切り欠いた要部を示す概略正面図、図３は同底板を示す平面図、図４（ａ）は同椅子の正面図、（ｂ）は側面図、（ｃ）は座席の平面図である。
【００１８】
図１〜図４において、浴室等の壁１に一対の固定フレーム２が垂直かつ平行に固定される。固定フレーム２は断面Ｕ字形の溝が形成され、溝内に身体洗浄装置本体３を支持する支持フレーム４の上端がスライド自在に配置される。固定フレーム２の側面には、所定の高さに位置させた支持フレーム４の下降を防ぐために支持フレーム４の下側に固定ピン５を通す固定ピン挿通孔６が形成される。
【００１９】
支持フレーム４は固定フレーム２に合わせて平行に一対設けられ、等間隔で配置した横フレーム７で連結される。支持フレーム４の下端には支持フレーム４の傾動により床８を転動するローラ９が設けられる。支持フレーム４を垂直状態の待機位置から水平状態に向かって傾斜あるいは垂直の待機位置へ戻す。支持フレーム４を位置決めした際には、支持フレーム４の上端の下側に位置する固定ピン挿通孔６へ固定ピン５を通して支持フレーム４が下降しないようにする。
【００２０】
支持フレーム４の下部には、支持フレーム４に直交して固定された固定底板１１と、固定底板側に倒立可能に接続された足を載せる可動底板１２とからなる底板１０が設けられる。可動底板１２を倒立させることにより収納時の幅を小さくできるようにする。固定底板１１にはフード１４内に溜まった洗浄水を排水あるいは循環させるための吸水口１３が設けられ、切替弁により排水と循環を切り替える。なお、排水口は吸水口１３と別に設けてもよい。
【００２１】
図４において、固定底板１１には、椅子の背もたれ１５が垂直に固定され、背もたれ１５に座席１６が高さ調節自在に取り付けられる。座席１６の高さ調節は、座席１６の両側フレームの後端を挿入するための孔１７を設けた座席固定部材１８を背もたれ１５の両側フレームに間隔をおいて上下方向に固定する。座席固定部材１８は、座席１６の前側に下向きに傾斜させることにより座席１６に被洗浄者が座ると、被洗浄者の重みによりテコの作用で抜けないようになる。
【００２２】
座席１６の前側には、陰部に洗浄水を噴射させて洗えるようにするため、洗浄水が通り抜ける開口１９を形成しておく。また、座席１６には必要に応じて倒立可能に手すりを設け、また、座席１６から前方へ引出可能に太股支持部材２０を設けてもよい。太股支持部材２０は、太股を楽に載せやすいように凹ませておいてもよい。
【００２３】
背もたれ１５及び座席１６は、被洗浄者が違和感なく座れ、且つ背もたれできるとともに、洗浄水が通過できる間隔（例えば、２ｍｍ前後）で平行に複数のピアノ線２１を張って形成する。ピアノ線２１の下端は背もたれに弾力性を持たせるためにスプリング２２を介して弾力を調整可能に固定される。背もたれ１５の上部には、頭をもたせかける頭受け２３を設けてもよい。
【００２４】
洗浄装置本体３は、昇降により伸縮する防水性のシートからなる筒状のフード１４で取り囲まれる。筒状のフード１４の下端は固定底板１１及び可動底板１１２の全周縁に水密状態に取り付けられ、筒状のフード１４の上部は昇降可能な環状のフード昇降フレーム２４全周縁に水密状態に取り付けられる。フード昇降フレーム２４の上部からはフード１４を延ばして被洗浄者の首回りを覆うことができるようにする。
【００２５】
フード昇降フレーム２４は、底板１０に間隔おいて垂直に取り付けられる洗浄水噴射パイプ２５に沿って昇降可能に設けられる。フード昇降フレーム２４は、身体洗浄装置の収納時にガイドフレームの上端で垂直に起立できるようにして、収納時の幅を小さくできるようにしてもよい。
【００２６】
洗浄水噴射パイプ２５は、固定底板１１の内周に配置された３箇所のパイプ受け２６、可動底板１２の一箇所のパイプ受け２６に着脱自在に被洗浄者を取り囲むように環状に配置されて取り付けられる。洗浄水噴射パイプ２５には、中心に向けて被洗浄者に洗浄水を噴射する洗浄水噴射孔２７が上下方向に形成されている。さらに座席の下方に洗浄水を洗浄水噴射孔２７から上方向に噴射させる洗浄水噴射パイプ２８が配置される。洗浄水噴射パイプ２５は、固定底板１１に設けてもよく、図５（ｂ）に示すように座席１６の下に直接支持して座席１６の高さ調節噴射距離を一定に保てるようにしてもよい。
【００２７】
底板１０の洗浄水噴射パイプ２５と座席１６の下の洗浄水噴射パイプ２８は、フード１４内の洗浄水を循環させる循環用ポンプ２９に接続されたフレキシブルな連結パイプ３０で連結され、循環用ポンプ２９により連結パイプ３０を通して洗浄水が送り込まれる。
【００２８】
前記構成からなる身体洗浄装置の使用方法について説明する。
【００２９】
身体洗浄装置は、使用前には、図５に示すように、フード１４が畳まれ、洗浄水噴射パイプ２５を底板１０のパイプ受け２６から取り外して収納した状態にある。
【００３０】
洗浄を始める際には、図６に示すように、座席１６を、高さを調整して座席固定部材１８に取り付ける。
【００３１】
次いで、フード１４及び可動底板１２を倒して水平にする。次いで、介護者は被洗浄者３１を座席１６へ着席させる。
【００３２】
被洗浄者３１が着席した後、洗浄水噴射パイプ２５を底板１０のパイプ受け２６に差し込んでセットする。
【００３３】
その後、フード昇降フレーム２４を洗浄水噴射パイプ２５の上端まで上昇させ、フード１４の上部を被洗浄者３１の首回りに固定する。
【００３４】
次いで、支持フレーム４を傾斜させた後、固定ピン５で固定する。
【００３５】
こうして洗浄可能にセットが完了すると、ポンプ２９を起動させて吸水口１３より洗浄水を吸水し、フード１４内に洗浄水噴射パイプ２５、２８の間、座席１６の開口１９から洗浄水を噴射させて被洗浄者３１に当てることにより洗浄を行う。洗浄水には、洗剤として、例えば米糠を混ぜることにより洗浄効果を増すことができる。洗浄後、洗浄水を入れ替えて洗剤を落とす。
【００３６】
洗浄が終了すると、洗浄水を固定底板１１の切替弁を切り替えて排水し、フード昇降フレーム２４を下降させてフード１４を畳み、洗浄水噴射パイプ２５、２８を取り外した後、介護者は、被洗浄者３１を洗浄装置３の外へ移動させる。その後、フード昇降フレーム２４及び可動底板１２を起立させてフード１４を畳む。
【図面の簡単な説明】
【００３７】
【図１】本考案の身体洗浄装置の要部を示す概略側面図である。
【図２】本考案のフードの一部を切り欠いた要部を示す概略正面図である。
【図３】本考案の身体洗浄装置の底板を示す平面図である。
【図４】（ａ）は本考案の椅子の正面図、（ｂ）は側面図、（ｃ）は座席の平面図である。
【図５】洗浄水噴射パイプを底板パイプ受けから取り外して収納した状態を示す概略側面図である。
【図６】本考案の身体洗浄装置により被洗浄者を洗浄する状態を示す概略側面図である。
【符号の説明】
【００３８】
１：壁                  ２：固定フレーム
３：身体洗浄装置本体    ４：支持フレーム
５：固定ピン            ６：固定ピン挿通孔
７：横フレーム          ８：床
９：ローラ            １０：底板
１１：固定底板          １２：可動底板
１３：吸水口            １４：フード
１５：背もたれ          １６：座席
１７：孔                １８：座席固定部材
１９：開口              ２０：太股支持部材
２１：ピアノ線          ２２：スプリング
２３：頭受け            ２４：フード昇降フレーム 
２５：洗浄水噴射パイプ  ２６：パイプ受け
２７：洗浄水噴射孔      ２８：洗浄水噴射パイプ
２９：循環用ポンプ      ３０：連結パイプ
３１：被洗浄者    
【図１】
0003129458.tif 000003
【図２】
0003129458.tif 000004
【図３】
0003129458.tif 000005
【図４】
0003129458.tif 000006
【図５】
0003129458.tif 000007
【図６】
0003129458.tif 000008